(57)【要約】      （修正有）【課題】ライブビューでの連写撮影において、焦点検出精度を維持しながら所望の画像を得ることを可能にした撮像装置を提供する。【解決手段】撮像装置は、撮像用画素と撮影光学系の異なる瞳領域を通過した光束を受光する位相差方式の焦点検出用画素とを有する撮像素子と、レリーズ手段による撮影指示が継続された場合に連写撮影を実施し、各露光後に撮像用画素から画像信号を生成すると共に焦点検出用画素からの信号を順次生成する連写撮影手段とを備え、各駒の撮影動作開始時に、直前の露光における絞り値と所定の絞り値とを比較し、直前の露光における絞り値が所定の絞り値よりも大きい場合には、各露光の合間に焦点検出手段による焦点検出を行う第１の連写撮影モードに移行して撮影を行い、直前の露光における絞り値が所定の絞り値よりも小さい場合には、直前の露光による焦点検出を行う第２の連写撮影モードに移行して撮影を行う。【選択図】図１（ｂ）
2019113646.tif 000002
【特許請求の範囲】
【請求項１】
撮影レンズ（２０１）と、
撮像画面を構成する画素領域において、撮影光学系を通過した光束を受光して画像信号を生成する複数の撮像用画素と、撮影光学系の異なる瞳領域を通過した光束をそれぞれ独立に受光して信号を生成する複数の焦点検出用画素とを有する撮像素子（１１６）と、
前記焦点検出用画素によって生成された信号に基づき、位相差方式の焦点検出を行う焦点検出手段と、
撮影を指示するレリーズ手段（２）と、
前記レリーズ手段による撮影指示が継続された場合に連写撮影を実施し、各露光後に前記撮像用画素から画像信号を生成すると共に前記焦点検出用画素からの信号を順次生成する連写撮影手段と、
を備え、
連写撮影において、前記レリーズ手段による撮影指示の継続に伴う各駒の撮影動作開始時に、直前の露光における絞り値と予め設定された所定の絞り値とを比較し、
直前の露光における絞り値が前記所定の絞り値よりも大きい（絞り側）場合には、各露光の合間に前記焦点検出手段による焦点検出を行う第１の連写撮影モードに移行して撮影を行い、
直前の露光における絞り値が前記所定の絞り値よりも小さい（開放側）場合には、各露光の合間に前記焦点検出手段による焦点検出を行なわず、直前の露光による焦点検出手段によって焦点検出を行う第２の連写撮影モードに移行して撮影を行うことを特徴とする撮像装置。
【請求項２】
撮影レンズ（２０１）と、
撮像画面を構成する画素領域において、撮影光学系を通過した光束を受光して画像信号を生成する複数の撮像用画素と、撮影光学系の異なる瞳領域を通過した光束をそれぞれ独立に受光して信号を生成する複数の焦点検出用画素とを有する撮像素子（１１６）と、
前記焦点検出用画素によって生成された信号に基づき、位相差方式の焦点検出を行う第１の焦点検出手段と、
前記撮像用画素によって生成された画像信号に基づき、コントラスト方式の焦点検出を行う第２の焦点検出手段と、
撮影を指示するレリーズ手段（２）と、
前記レリーズ手段による撮影指示が継続された場合に連写撮影を実施し、各露光後に前記撮像用画素から画像信号を生成すると共に前記焦点検出用画素からの信号を順次生成する連写撮影手段と、
を備え、
連写撮影において、前記レリーズ手段による撮影指示の継続に伴う各駒の撮影動作開始時に、直前の露光における絞り値と予め設定された所定の絞り値とを比較し、
直前の露光における絞り値が前記所定の絞り値よりも大きい（絞り側）場合には、各露光の合間に前記第１の焦点検出手段もしくは前記第２の焦点検出手段による焦点検出を行う第１の連写撮影モードに移行して撮影を行い、
直前の露光における絞り値が前記所定の絞り値よりも小さい（開放側）場合には、各露光の合間に前記第１の焦点検出手段もしくは前記第２の焦点検出手段による焦点検出を行なわず、直前の露光による前記第１の焦点検出手段によって焦点検出を行う第２の連写撮影モードに移行して撮影を行うことを特徴とする撮像装置。
【請求項３】
撮影レンズ（２０１）と、
撮像画面を構成する画素領域において、撮影光学系を通過した光束を受光して画像信号を生成する複数の撮像用画素と、撮影光学系の異なる瞳領域を通過した光束をそれぞれ独立に受光して信号を生成する複数の焦点検出用画素とを有する撮像素子（１１６）と、
前記焦点検出用画素によって生成された信号に基づき、位相差方式の焦点検出を行う焦点検出手段と、
撮影を指示するレリーズ手段（２）と、
前記レリーズ手段による撮影指示が継続された場合に連写撮影を実施し、各露光後に前記撮像用画素から画像信号を生成すると共に前記焦点検出用画素からの信号を順次生成する連写撮影手段と、
を備え、
連写撮影において、前記レリーズ手段による撮影指示の継続に伴う各駒の撮影動作開始時に、直前の露光における被写体輝度と予め設定された所定の被写体輝度とを比較し、
直前の露光における被写体輝度が前記所定の被写体輝度よりも低い（暗い）場合には、各露光の合間に前記焦点検出手段による焦点検出を行う第１の連写撮影モードに移行して撮影を行い、
直前の露光における被写体輝度が前記所定の被写体輝度よりも高い（明るい）場合には、各露光の合間に前記焦点検出手段による焦点検出を行なわず、直前の露光による前記焦点検出手段によって焦点検出を行う第２の連写撮影モードに移行して撮影を行うことを特徴とする撮像装置。
【請求項４】
撮影レンズ（２０１）と、
撮像画面を構成する画素領域において、撮影光学系を通過した光束を受光して画像信号を生成する複数の撮像用画素と、撮影光学系の異なる瞳領域を通過した光束をそれぞれ独立に受光して信号を生成する複数の焦点検出用画素とを有する撮像素子（１１６）と、
前記焦点検出用画素によって生成された信号に基づき、位相差方式の焦点検出を行う第１の焦点検出手段と、
前記撮像用画素によって生成された画像信号に基づき、コントラスト方式の焦点検出を行う第２の焦点検出手段と、
撮影を指示するレリーズ手段（２）と、
前記レリーズ手段による撮影指示が継続された場合に連写撮影を実施し、各露光後に前記撮像用画素から画像信号を生成すると共に前記焦点検出用画素からの信号を順次生成する連写撮影手段と、
を備え、
連写撮影において、前記レリーズ手段による撮影指示の継続に伴う各駒の撮影動作開始時に、直前の露光における被写体輝度と予め設定された所定の被写体輝度とを比較し、
直前の露光における被写体輝度が前記所定の被写体輝度よりも低い（暗い）場合には、各露光の合間に前記第１の焦点検出手段もしくは前記第２の焦点検出手段による焦点検出を行う第１の連写撮影モードに移行して撮影を行い、
直前の露光における被写体輝度が前記所定の被写体輝度よりも高い（明るい）場合には、各露光の合間に前記第１の焦点検出手段もしくは前記第２の焦点検出手段による焦点検出を行なわず、直前の露光による前記第１の焦点検出手段によって焦点検出を行う第２の連写撮影モードに移行して撮影を行うことを特徴とする撮像装置。
【請求項５】
撮影レンズ（２０１）と、
撮像画面を構成する画素領域において、撮影光学系を通過した光束を受光して画像信号を生成する複数の撮像用画素と、撮影光学系の異なる瞳領域を通過した光束をそれぞれ独立に受光して信号を生成する複数の焦点検出用画素とを有する撮像素子（１１６）と、
前記焦点検出用画素によって生成された信号に基づき、位相差方式の焦点検出を行う焦点検出手段と、
撮影を指示するレリーズ手段と、
前記レリーズ手段による撮影の指示が継続されたとき連写撮影を実施し、各露光後に前記撮像用画素から画像信号を生成すると共に前記焦点検出用画素からの信号を順次生成する連写撮影手段と、
を備え、
連写撮影において、前記レリーズ手段による撮影指示の継続に伴う各駒の撮影動作開始時に、前記焦点検出用画素の一部によって生成された信号に基づいた前記焦点検出手段による焦点検出を実施し、
前記信号に焦点検出を実施する信号が含まれる場合、且つ、焦点検出結果の信頼性が低いことが判明した場合には、各露光の合間に前記焦点検出手段によって焦点検出を行う第１の連写撮影モードに移行して撮影を行い、
前記信号に焦点検出を実施する信号が含まれない場合、もしくは、検出結果の信頼性が低いことが判明しない場合には、直前の露光による前記焦点検出を行うか、各露光の合間に前記焦点検出手段によって焦点検出を行うか、を前記焦点検出用画素からの信号が全て生成された後に再判定する第２の連写撮影モードに移行して撮影を行うことを特徴とする撮像装置。
【請求項６】
撮影レンズ（２０１）と、
撮像画面を構成する画素領域において、撮影光学系を通過した光束を受光して画像信号を生成する複数の撮像用画素と、撮影光学系の異なる瞳領域を通過した光束をそれぞれ独立に受光して信号を生成する複数の焦点検出用画素とを有する撮像素子（１１６）と、
前記焦点検出用画素によって生成された信号に基づき、位相差方式の焦点検出を行う第１の焦点検出手段と、
前記撮像用画素によって生成された画像信号に基づき、コントラスト方式の焦点検出を行う第２の焦点検出手段と、
撮影を指示するレリーズ手段と、
前記レリーズ手段による撮影の指示が継続されたとき連写撮影を実施し、各露光後に前記撮像用画素から画像信号を生成すると共に前記焦点検出用画素からの信号を順次生成する連写撮影手段と、
を備え、
連写撮影において、前記レリーズ手段による撮影指示の継続に伴う各駒の撮影動作開始時に、前記焦点検出用画素の一部によって生成された信号に基づいた前記第１の焦点検出手段による焦点検出を実施し、
前記信号に焦点検出を実施する信号が含まれる場合、且つ、焦点検出結果の信頼性が低いことが判明した場合には、各露光の合間に前記第１の焦点検出手段もしくは前記第２の焦点検出手段によって焦点検出を行う第１の連写撮影モードに移行して撮影を行い、
前記信号に焦点検出を実施する信号が含まれない場合、もしくは、検出結果の信頼性が低いことが判明しない場合には、直前の露光による前記第１の焦点検出手段によって焦点検出を行うか、各露光の合間に前記第１の焦点検出手段もしくは前記第２の焦点検出手段によって焦点検出を行うか、を前記焦点検出用画素からの信号が全て生成された後に再判定する第２の連写撮影モードに移行して撮影を行うことを特徴とする撮像装置。
【請求項７】
前記撮像装置はさらに、
先幕羽根群（９０２）を駆動する先幕羽根駆動部材（９０４）と、
後幕羽根群（９０３）を駆動する後幕羽根駆動部材（９０５）と、
前記先幕羽根群がシャッタ開口部を閉状態から開状態にする方向に前記先幕羽根駆動部材を付勢する先幕羽根駆動バネ（９０６）と、
前記後幕羽根群がシャッタ開口部を開状態から閉状態にする方向に前記後幕羽根駆動部材を付勢する後幕羽根駆動バネ（９０６）と、
前記先幕羽根駆動部材と当接する先幕カム部（９１２ａ）および前記後幕羽根駆動部材と当接する後幕カム部（９１２ｂ）を有し、前記先幕カム部と前記先幕羽根駆動部材の当接および当接解除を行うことで前記先幕羽根駆動部材を介して前記先幕羽根駆動バネのチャージおよび解除を行い、前記後幕カム部と前記後幕羽根駆動部材の当接および当接解除を行うことで前記後幕羽根駆動部材を介して前記後幕羽根駆動バネのチャージおよび解除を行い、前記先幕カム部と前記先幕羽根駆動部材が当接するとき前記先幕羽根群がシャッタ開口部を閉状態とし、前記後幕カム部と前記後幕羽根駆動部材が当接するとき前記後幕羽根群がシャッタ開口部を開状態とするカムギア（９１２）と、
前記先幕カム部と前記先幕羽根駆動部材が当接解除した状態で、前記先幕羽根群が前記シャッタ開口部の閉状態を維持するように前記先幕羽根駆動部材を通電保持するための先幕通電保持手段（９１０）と、
前記後幕カム部と前記後幕羽根駆動部材が当接解除した状態で、前記後幕羽根群が前記シャッタ開口部の開状態を維持するように前記後幕羽根駆動部材を通電保持するための後幕通電保持手段（９１１）と、
を有するシャッタ（９）を備え、
前記第１の連写撮影モードでは、各露光の合間の焦点検出を前記シャッタの前記後幕カム部と前記後幕羽根駆動部材が当接した状態で行い、焦点検出終了後に前記後幕通電保持手段による通電保持の開始および前記後幕カム部と前記後幕羽根駆動部材の当接の解除を行い、
前記第２の連写撮影モードでは、前記第２の連写撮影モードに移行した直後に前記後幕通電保持手段による通電保持の開始および前記後幕カム部と前記後幕羽根駆動部材の当接の解除を行うことを特徴とする請求項１乃至６のいずれか１項に記載の撮像装置。
【請求項８】
前記撮像装置はさらに、
前記撮像用画素で生成された前記画像信号を表示する表示手段（４）を有し、
前記第１の連写撮影モードにおいて、前記各露光の合間に生成された前記画像信号を前記表示手段に順次表示することを特徴とする請求項１乃至７のいずれか１項に記載の撮像装置。
【発明の詳細な説明】
【技術分野】
【０００１】
本発明は、連写機能を有する撮像装置に関する。
【背景技術】
【０００２】
従来、撮影の際に被写体を観察するためのファインダとして、撮像素子で撮像した被写体像をLCD(Liquid Crystal Display)等のモニタに表示する機能（以下、ライブビューと記載する。）を有した撮像装置がある。
【０００３】
特許文献１で開示された撮像装置では、画像信号を生成するための画素と焦点検出信号を生成するための画素を配置した撮像素子を用いている。これにより、ライブビューでの撮影において、各露光の際に生成した画像信号から画像を生成すると共に焦点検出信号から位相差方式による焦点検出を実施することで、高速な連写撮影が可能な撮像装置となっている。
【先行技術文献】
【特許文献】
【０００４】
【特許文献１】特許第５１６９１４４号公報
【発明の概要】
【発明が解決しようとする課題】
【０００５】
しかしながら、上述の特許文献１に開示された撮像装置では、撮像装置が自動で設定した撮影条件や使用者が設定した撮影条件での撮影を実施する際、画像に対する条件としては適していても、位相差方式による焦点検出の条件としては必ずしも適さない場合があった。例えば、撮影条件のうち撮影レンズの絞り値が大きい場合や被写体の輝度が低い場合には、位相差方式による焦点検出精度が低くなり、所望の画像が得られないことがあった。
【０００６】
そこで、本発明の目的は、画像信号を生成するための画素と焦点検出信号を生成するための画素を配置した撮像素子を用いたライブビューでの連写撮影において、焦点検出精度を維持しながら所望の画像を得ることを可能にした撮像装置を提供することである。
【課題を解決するための手段】
【０００７】
上記課題を解決するために、本発明の撮像装置は、
撮影レンズと、
撮像画面を構成する画素領域において、撮影光学系を通過した光束を受光して画像信号を生成する複数の撮像用画素と、撮影光学系の異なる瞳領域を通過した光束をそれぞれ独立に受光して信号を生成する複数の焦点検出用画素とを有する撮像素子と、
前記焦点検出用画素によって生成された信号に基づき、位相差方式の焦点検出を行う焦点検出手段と、
撮影を指示するレリーズ手段と、
前記レリーズ手段による撮影指示が継続された場合に連写撮影を実施し、各露光後に前記撮像用画素から画像信号を生成すると共に前記焦点検出用画素からの信号を順次生成する連写撮影手段と、
を備え、
連写撮影において、前記レリーズ手段による撮影指示の継続に伴う各駒の撮影動作開始時に、直前の露光における絞り値と予め設定された所定の絞り値とを比較し、
直前の露光における絞り値が前記所定の絞り値よりも大きい（絞り側）場合には、各露光の合間に前記焦点検出手段による焦点検出を行う第１の連写撮影モードに移行して撮影を行い、
直前の露光における絞り値が前記所定の絞り値よりも小さい（開放側）場合には、各露光の合間に前記焦点検出手段による焦点検出を行なわず、直前の露光による前記検出手段によって焦点検出を行う第２の連写撮影モードに移行して撮影を行うことを特徴とする。
【発明の効果】
【０００８】
上述の請求項１に記載の本発明によれば、画像信号を生成するための画素と焦点検出信号を生成するための画素を配置した撮像素子を用いたライブビューでの連写撮影において、焦点検出精度を維持しながら所望の画像を得ることを可能にした撮像装置を提供することができる。
【図面の簡単な説明】
【０００９】
【図１（ａ）】第１の実施の形態に係るカメラの撮影動作を示すフローチャート（カメラ初期状態から最初の撮影まで）
【図１（ｂ）】第１の実施の形態に係るカメラの撮影動作を示すフローチャート（連写撮影）
【図２（ａ）】第１の実施の形態に係るカメラおよびレンズの正面斜視図
【図２（ｂ）】第１の実施の形態に係るカメラおよびレンズの背面斜視図
【図２（ｃ）】第１の実施の形態に係るカメラおよびレンズの中央断面図
【図３（ａ）】第１の実施の形態に係るカメラの撮像素子の画素配置を示す図
【図３（ｂ）】第１の実施の形態に係るカメラの撮像素子の撮像用画素の構成を示す図
【図３（ｃ）】第１の実施の形態に係るカメラの撮像素子の焦点検出用画素の構成を示す図
【図４】第１の実施の形態に係るカメラおよびレンズの制御系の構成を示すブロック図
【図５】（ａ）第１の実施の形態に係るカメラのフォーカルプレンシャッタの正面から見た分解斜視図  （ｂ）第１の実施の形態に係るカメラのフォーカルプレンシャッタの背面から見た分解斜視図
【図６（ａ）】第１の実施の形態に係るカメラのフォーカルプレンシャッタの状態を示す図
【図６（ｂ）】第１の実施の形態に係るカメラのフォーカルプレンシャッタの状態を示す図
【図６（ｃ）】第１の実施の形態に係るカメラのフォーカルプレンシャッタの状態を示す図
【図６（ｄ）】第１の実施の形態に係るカメラのフォーカルプレンシャッタの状態を示す図
【図６（ｅ）】第１の実施の形態に係るカメラのフォーカルプレンシャッタの状態を示す図
【図７】第２の実施の形態に係るカメラの撮影動作を示すフローチャート（連写撮影）
【発明を実施するための形態】
【００１０】
以下、添付図面を参照して本発明を実施するための好ましい形態を詳細に説明する。
【００１１】
［第１の実施の形態］
図２ａおよび図２ｂは、本発明の実施形態に係わるデジタル一眼レフカメラ本体１０１および撮影レンズ本体２０１の正面および背面斜視図、図２ｃは中央断面図である。なお、本実施の形態のカメラはCCD(Charge-Coupled Devices)やCMOS(Complementary Metal-Oxide Semiconductor)等の撮像素子により被写体像を光電変換して画像情報を生成し、任意のメモリ等の電子的記録媒体にその画像情報を記録するデジタルカメラである。
【００１２】
１０１はカメラ本体、２０１はカメラ本体に着脱可能な撮影レンズ本体、１はカメラ本体１０１から撮影レンズ２０１を取り外すためのレンズ取り外しボタンである。２は撮影を指示するための二段スイッチ構成のレリーズボタンである。このレリーズボタンを１段目まで軽く押下し、第１スイッチがオンの状態を「半押し」といい（ＳＷ１）、この状態で測光およびAF（自動焦点調節）が行われる。半押しからさらに二段目まで押下し、第２スイッチがオンの状態を「全押し」といい（ＳＷ２＿ＯＮ）、全押しすることで撮影が行われる。
【００１３】
３は撮影条件などの様々な設定を行うためのメニューボタンであり、４は撮影画像の確認や選択、メニュー機能の選択・設定等に使用する画像表示部である。また、カメラ本体１０１の背面側上方には接眼レンズ１１２等で構成されるファインダ接眼窓が設けられている。５は撮影モード選択ボタンであり、ファインダ撮影モードとライブビュー撮影モードを任意に切り替えるために、撮影者によって操作される。ファインダ撮影モードとは、後述するミラーユニット８が撮影光路内に侵入した状態で、接眼レンズ１１２等を通して被写体像を確認して撮影するモードである。また、ライブビュー撮影モードとは、後述するミラーユニット８が撮影光路外に退避した状態で、撮像素子１１６に結像した被写体像を画像表示部４に表示して撮影するモードである。
【００１４】
カメラ本体１０１に対して着脱可能な撮影レンズ本体２０１は、カメラ側のマウント部１０２と撮影レンズ側のマウント部２０２によって固定される。撮影レンズ本体２０１が装着されると、カメラ本体１０１の接点部１０３と撮影レンズ本体２０１の接点部２０３が接触する。これにより電気的な接続がなされ、カメラ本体１０１は撮影レンズ本体２０１が装着されたことを検知する。さらに、この接点部１０３および２０３を介してカメラ本体１０１から撮影レンズ本体２０１へ電力の供給や撮影レンズ本体２０１を制御するための通信を行う。
【００１５】
主ミラー６は主ミラー保持部材７に固着され、サブミラー１０５はサブミラー保持部材１０９に固着されている。主ミラー６、主ミラー保持部材７、サブミラー１０５、サブミラー保持部材１０９でミラーユニット８が構成されている。
【００１６】
ミラーユニット８が撮影光路内に進入した状態のとき、撮影レンズ本体２０１のレンズ群２０４を透過して絞り２０５によって調整された光束は、カメラ本体１０１の主ミラー６に入射する。この主ミラー６はハーフミラーとなっており、この主ミラー６により反射された光束はファインダへと導かれ、ピント板１１０へ入射して被写体像を結像する。ファインダ撮影モードにおいては、撮影者が撮影前にペンタミラー１１１および接眼レンズ１１２を介してピント板１１０上の被写体像を観察可能である。
【００１７】
また、この主ミラー６を透過した光束は、サブミラー１０５により下方へ反射され、位相差方式による焦点検出ユニット１０６へと導かれる。この焦点検出ユニット１０６により、レンズ群２０４のデフォーカス量を検出し、レンズ群２０４により合焦状態となるようにレンズ群２０４を移動するためのレンズ駆動量を演算する。そして、その演算したレンズ駆動量を接点部１０３および２０３を介して撮影レンズ本体２０１へ送出すると、撮影レンズ本体２０１は不図示のレンズ側モータを制御して、レンズ群２０４の一部であるフォーカスレンズを移動させて焦点調節を行う。
【００１８】
ミラーユニット８の後方にはフォーカルプレンシャッタ９が配置されている。フォーカルプレンシャッタ９の後方には、光学ローパスフィルタ１１４が配置されている。この光学ローパスフィルタ１１４の後方には、撮像素子ホルダー１１５によって保持された撮像素子１１６と、撮像素子１１６を保護するカバー部材１１７が配置されている。１１８は光学ローパスフィルタ１１４を保持すると共に、光学ローパスフィルタ１１４とカバー部材１１７の間を密閉するための保持部材である。光学ローパスフィルタ１１４、撮像素子ホルダー１１５、撮像素子１１６、カバー部材１１７、保持部材１１８で撮像ユニット１０が構成されている。
【００１９】
ミラーユニット８が撮影光路外に退避した状態のとき、光束が光学ローパスフィルタ１１４、カバー部材１１７を透過し、撮像素子１１６へ入射して被写体像を結像するように構成されている。
【００２０】
詳細は後述するが、撮像素子１１６は結像した被写体像である光学画像を電気信号に変換する機能に加え、位相差方式による焦点検出を行う機能を有する。撮像素子１１６は、撮像用画素と焦点検出用画素をそれぞれ複数有する。ライブビュー撮影モードにおいては、撮像素子１１６の焦点検出用画素からの信号により、レンズ群２０４のデフォーカス量を検出し、レンズ群２０４により合焦状態となるようにレンズ群２０４を移動するためのレンズ駆動量を演算する。そして、その演算したレンズ駆動量を接点部１０３および２０３を介して撮影レンズ本体２０１へ送出すると、撮影レンズ本体２０１は不図示のレンズ側モータを制御して、レンズ群２０４の一部であるフォーカスレンズを移動させて焦点調節を行う。
【００２１】
以下、図３を参照して、撮像素子１１６の構成について説明する。図３ａは、撮像素子１１６の画素配置を示す図である。図３ａにおいて、１１６は撮像素子を示している。撮像素子１１６は、撮像用画素１１６ｃが全面に配置されており、いわゆるＲ、Ｇ、Ｂの原色フィルターが、ベイヤーに配置された構成となっている。１１６ａおよび１１６ｂは、一対の位相差検出用の焦点検出用画素を示している。Ａは位相差検出の基準画素であるＡ像を、Ｂは、位相差検出の参照画素であるＢ像を示している。Ａ像、Ｂ像の配置は、図３ａより明らかなので、説明を省略する。なお、撮像素子１１６の画素配置構成は、一例を示したものであり、この構成に限定されるものではない。また、焦点検出用画素１１６ａおよび１１６ｂの配置についても、図３ａの構成に限定されるものではない。
【００２２】
図３ｂは、撮像素子１１６の撮像用画素１１６ｃの構造を模式的に示す図である。図３ｂにおいて、１１６１はフォトダイオード、１１６２は後述の焦点検出用画素１１６ａ、１１６ｂの構成との対比のために記載した最下層の配線層を示している。１１６３はカラーフィルター、１１６４は撮影光束を集光して、受光効率を向上させるためのマイクロレンズ、１１６５は撮影レンズの瞳、１１６６はマイクロレンズ１１６４によるフォトダイオード１１６１の受光範囲を示している。撮像用画素１１６ｃのマイクロレンズ１１６４の曲率は、撮影レンズの瞳１１６５とほぼ等しい領域の光束が、フォトダイオード１１６１に入射するように設定される。
【００２３】
図３ｃは、撮像素子１１６の一対の焦点検出用画素１１６ａ、１１６ｂの構造を模式的に示す図である。図３ｃにおいて、１１６７はフォトダイオードであり、図３ｂのフォトダイオード１１６１と同一構造である。１１６８は最下層の配線層を示しており、撮像用画素１１６ｃの配線層１１６２とは異なり、フォトダイオード１１６７の左半分に入射する光束を遮光するように構成され、位相差検出用のＡ像を構成している。１１６９は、フォトダイオード１１６７に入射する光束を集光するためのマイクロレンズである。
【００２４】
１１７０はフォトダイオードであり、図３ｂのフォトダイオード１１６１と同一構造である。１１７１は最下層の配線層を示しており、撮像用画素１１６ｃの配線層１１６２とは異なり、フォトダイオード１１７０の右半分に入射する光束を遮光するように構成され、位相差検出用のＢ像を構成している。１１７２は、フォトダイオード１１７０に入射する光束を集光するためのマイクロレンズである。１１７３は撮影レンズの瞳を示している。
【００２５】
１１７４、１１７５は、撮影レンズの瞳１１７３上でフォトダイオード１１６７、１１７０に入射する範囲を示している。図３ｃより明らかなように、配線層１１６８、１１７１の遮光位置を異ならせることにより瞳分割を実現し、取得したＡ像とＢ像の信号から撮像素子１１６による位相差式の焦点検出を可能なように構成されている。
【００２６】
以下、図４のブロック図を参照して、カメラ本体１０１およびレンズ本体２０１の制御系の構成を説明する。２０１は撮影レンズ本体であり、２０４はレンズ群、２０５は絞りである。８はミラーユニット、９はフォーカルプレンシャッタ、１１６は光学画像を電気信号に変換する撮像素子、５０はＡ／Ｄ変換部である。また、５１は撮像素子１１６、Ａ／Ｄ変換部５０にクロック信号や制御信号を供給するタイミング発生回路であり、メモリ制御部５２およびシステム制御部５３により制御されている。
【００２７】
５４は画像処理部であり、Ａ／Ｄ変換部５０あるいはメモリ制御部５２からの画像データに対して画素補間処理や色変換処理等の所定の画像処理を行う。メモリ制御部５２は、Ａ／Ｄ変換部５０、タイミング発生回路５１、画像処理部５４、画像表示メモリ５５、表示制御部５６、メモリ５７、圧縮伸長部５８を制御する。Ａ／Ｄ変換部５０から出力される画像データは、画像処理部５４、メモリ制御部５２を介して、あるいはＡ／Ｄ変換部５０のデータが直接メモリ制御部５２を介して、画像表示メモリ５５あるいはメモリ５７に書き込まれる。
【００２８】
５７は撮影した画像を格納するためのメモリであり、所定枚数の画像を格納するのに十分な記憶量を備えている。５８はメモリ５７から読み出した画像データを所定の画像処理方法(例えば、適用離散コサイン変換など)に従って画像データを圧縮処理あるいは伸長処理する圧縮伸長部であり、処理を終えた画像データをメモリ５７に書き込む。処理を終えた画像データは更に、着脱可能な記録媒体５９に記録される。この記録媒体５９は、フラッシュメモリ等の不揮発性メモリによって構成されている。
【００２９】
また、記録媒体５９から画像データをメモリ５７に読み出し、画像処理部５４やメモリ制御部５２を介して画像表示メモリ５５に画像データを書き込む処理を実施し、表示制御部５６により画像表示部４に表示する場合にも使用される。
【００３０】
６１はフォーカルプレンシャッタ９を制御するシャッタ制御部、６２は主ミラー６を含むミラーユニット８を制御するミラー制御部、６３は絞り２０５を制御する絞り制御部、６４は撮影レンズ本体２０１のレンズ群２０４の一部であるフォーカシングレンズを制御する測距制御部である。
【００３１】
５３はカメラ本体１０１を制御するシステム制御部である。システム制御部５３は、メモリ６６に格納されたプログラムを実行する。６６はシステム制御部５３の動作用の定数、変数、プログラムなどを記憶するメモリであり、撮影に伴う処理に関する各種プログラムが記録されている。６７は電源制御部で、電源検出回路、ＤＣ−ＤＣコンバータ、電力を供給する回路ブロックを切換えるスイッチ回路等により構成されており、電源部の装着の有無、電源の種類、電池残量の検出等を行い、検出結果およびシステム制御部５３の指示に基づいてＤＣ−ＤＣコンバータを制御し、必要な電圧を必要な期間、各部へ電力を供給する。
【００３２】
２は撮影を指示するためのレリーズボタンであり、レリーズボタン２の押下によりシステム制御部５３からの指示に基づいて、前述した測光・AF・露光等に関わる各制御動作、および各画像処理動作が実施される。
【００３３】
５は撮影モード選択ボタンであり、撮影モード選択ボタン５の押下によりシステム制御部５３からの指示に基づいて、ファインダ撮影モードとライブビュー撮影モードを切り替える動作が実施される。ライブビュー撮影モードにおいては、撮像素子１１６からの電気信号に基づきＡ／Ｄ変換部５０で順次生成される画像データを画像表示部４に表示する。
【００３４】
以下、図５を参照して、フォーカルプレンシャッタ９の構成について説明する。図５ａは本実施例のフォーカルプレンシャッタ９を正面から見た分解斜視図、図５ｂは背面から見た分解斜視図である。
【００３５】
９０１はシャッタ地板であり、中央部に開口部９０１ａが設けられている。シャッタ地板９０１は、不図示のカメラ本体１０１のミラーボックスに固定されており、後述する先幕羽根群９０２および後幕羽根群９０３の駆動機構を構成する各部品が取り付けられている。
【００３６】
先幕羽根駆動部材である先幕駆動レバー９０４、後幕羽根駆動部材である後幕駆動レバー９０５はそれぞれシャッタ地板９０１に配設された先幕軸９０１ｂ、後幕軸９０１ｃに回動可能に軸支されている。先幕駆動レバー９０４および後幕駆動レバー９０５の軸周囲には、ねじりバネである羽根駆動バネ９０６が配設されており、先幕駆動レバー９０４および後幕駆動レバー９０５を図５ａにおいて反時計回り方向に付勢している。先幕駆動レバー９０４および後幕駆動レバー９０５にはそれぞれ先幕アマチャ９０７および後幕アマチャ９０８が配設され、補助地板９０９に配設された先幕電磁石９１０、後幕電磁石９１１に通電をすると、先幕駆動レバー９０４、後幕駆動レバー９０５を磁力によって吸着保持した状態となる。
【００３７】
カムギア９１２はシャッタ地板９０１に配設されたカムギア軸９０１ｄを中心に回動可能に軸支されている。先幕駆動レバー９０４に配設された被押動部である先幕コロ９１３および後幕駆動レバー９０５に軸支された被押動部である後幕コロ９１４は、カムギア９１２に形成された先幕カム面９１２ａおよび後幕カム面９１２ｂとそれぞれ当接する。
【００３８】
シャッタ地板９０１の背面側にはカバー板９１５が固定されている。カバー板９１５の中央部にはシャッタ地板９０１の開口部９０１ａと略一致した位置に開口部９１５ａが設けられている。シャッタ地板９０１とカバー板９１５で先羽根群９０２よび後羽根群９０３を配置する羽根室が形成される。また、先幕羽根群９０２と後幕羽根群９０３の間には、開口部９１６ａを設けた仕切り板９１６が配設されている。
【００３９】
先羽根群９０２は複数の先羽根９１７、主アーム９１８、副アーム９１９で構成されている。先羽根９１７は主アーム９１８および副アーム９１９に回転可能に軸支されており、主アーム９１８はシャッタ地板９０１の軸９０１ｄに、副アームは軸９０１ｅに回転可能に軸支されることで平行リンクを形成している。主アーム９１８は、穴部９１８ａで先幕駆動レバー９０４の軸９０４ａと係合しており、先幕駆動レバー９０４によって先羽根群９０２を駆動する。
【００４０】
後羽根群９０３は複数の後羽根９２０、主アーム９２１、副アーム９２２で構成されている。後羽根９２０は主アーム９２１および副アーム９２２に回転可能に軸支されており、主アーム９２１はシャッタ地板９０１の軸９０１ｆに、副アームは軸９０１ｇに回転可能に軸支されることで平行リンクを形成している。主アーム９２１は、穴部９２１ａで後幕駆動レバー９０５の軸９０５ａと係合しており、後幕駆動レバー９０５によって後羽根群９０３を駆動する。
【００４１】
モータ９２３はシャッタ地板９０１に配設され、伝達部材である減速ギア列９２４を介して伝達される駆動力によってカムギア９１２を回動させる。
【００４２】
以下、図１ａ、１ｂ、図５〜図６を参照して、カメラ本体１０１の撮影動作について説明する。図１ａはカメラ初期状態から最初の撮影までのフローチャート、図１ｂは連写撮影のフローチャートである。図６ａ〜図６ｅはカメラ本体１０１の撮影動作におけるフォーカルプレンシャッタ９の状態を示す図であり、図面の見易さのためにシャッタ地板９０１、カバー板９１５等の部品を省略している。
【００４３】
図１ａにおいて、ステップ(図ではＳと略記する)１００でカメラの動作が開始される。フォーカルプレンシャッタ９は図６ａに示す状態である。カムギア９１２は、図６ａに示す位置で停止している。先幕駆動レバー９０４および後幕駆動レバー９０５は、羽根駆動バネ９０６の付勢力により図６ａにおいて反時計回りに付勢されているが、先幕駆動レバー９０４および後幕駆動レバー９０５に軸支された先幕コロ９１３および後幕コロ９１４が、カムギア９１２の先幕カム面９１２ａおよび後幕カム面９１２ｂとそれぞれ当接しているため停止している。
【００４４】
このとき、先幕駆動レバー９０４の軸９０４ａに連結された先羽根群９０２は、シャッタ地板９０１の開口部９０１ａおよびカバー板９１５の開口９１５ａを覆うように展開状態にある。また、後幕駆動レバー９０５の軸９０５ａに連結された後羽根群９０３は、シャッタ地板９０１の開口部９０１ａおよびカバー板９１５の開口９１５ａの上側に重畳された状態にある。このとき、先幕電磁石９１０、後幕電磁石９１１への通電は遮断されている。
【００４５】
次に、ステップ１０１で撮影モード選択ボタン５により選択された撮影モードがファインダ撮影モードかライブビュー撮影モードかを判定する。ファインダ撮影モードであればステップ３０１へと進み、ライブビュー撮影モードであればステップ１０１へとそれぞれ進む。
【００４６】
本発明の特徴はライブビュー撮影モードにあるため、ステップ３０１のファインダ撮影モードの撮影動作に関する説明は省略し、以下、ライブビュー撮影モードの撮影動作について説明する。
【００４７】
ステップ１０２では、ミラー制御部６２によって、不図示のモータを駆動して主ミラー６を含むミラーユニット８を撮影光路外に退避させた状態（ミラーアップ状態）にする。
【００４８】
次にステップ１０３に進み、先幕羽根群９０２を走行させて、シャッタ地板９０１の開口部９０１ａおよびカバー板９１５の開口部９１５ａを開状態にする動作を行う。
【００４９】
フォーカルプレンシャッタ９を図６ｂに示す状態に遷移させる。具体的には、シャッタ制御部６１により、モータ９２３を駆動してカムギア９１２を図６ａにおいて反時計回り方向に回転させ、先幕駆動レバー９０４の先幕コロ９１３とカムギア９１２の先幕カム部９１２ａとの当接を解除する。これにより、羽根駆動バネ９０６の付勢力による先幕駆動レバー９０４の回転に伴い先幕羽根群９０２が走行し、シャッタ地板９０１の開口部９０１ａおよびカバー板９１５の開口部９１５ａを開状態にすることで、光束が撮像素子１１６に入射して被写体像を結像する。
【００５０】
この状態では、後幕駆動レバー９０５の後幕コロ９１４がカムギア９１２の後幕カム部９１２ｂに当接しているため、後幕電磁石９１１への通電を遮断していてもシャッタ地板９０１の開口部９０１ａおよびカバー板９１５の開口９１５ａを開状態に保つことができる。
【００５１】
次にステップ１０４に進み、撮像素子１１６の撮像用画素１１６ｃに結像した被写体像を一定周期（例えば１／９０秒毎）で画像信号として読み出し、画像表示部４に順次表示することでライブビュー表示が開始され、撮影前待機状態となる。
【００５２】
次にステップ１０５に進み、レリーズボタン２が半押し操作（ＳＷ１）されたか否かを判別する。レリーズボタン２の半押し操作（ＳＷ１）が行われた場合にはステップ１０６へと進み、行われない場合にはステップ１０５を繰り返す。
【００５３】
ステップ１０６では、撮像素子１１６による位相差方式の焦点検出動作を行う。具体的には、ライブビュー表示のために順次読み出す撮像素子１１６の焦点検出用画素１１６ａ、１１６ｂからの信号に基づきデフォーカス量を検出し、測距制御部６４によって、撮影レンズ本体２０１のレンズ群２０４の一部であるフォーカシングレンズを合焦位置に移動させる動作を行う。なお、焦点検出動作については、コントラスト方式で実施しても良い。
【００５４】
次にステップ１０７に進み、レリーズボタン２が全押し操作（ＳＷ２＿ＯＮ）されたか否かを判別する。レリーズボタン２の全押し操作（ＳＷ２）が行われた場合にはステップ１０８およびステップ１１０へと進み、行われない場合にはステップ１０７を繰り返す。
【００５５】
ステップ１０８では、後幕電磁石９１１への通電を開始し、後幕駆動レバー９０５に設定された後幕アマチャ９０８を電磁的に吸着保持する。
【００５６】
次にステップ１０９に進み、後幕羽根群９０３の走行前準備動作を行う。フォーカルプレンシャッタ９を図６ｃに示す状態に遷移させる。具体的には、シャッタ制御部６１により、モータ９２３を駆動してカムギア９１２を図６ｂにおいて反時計回り方向に回転させ、後幕駆動レバー９０５の後幕コロ９１４とカムギア９１２の後幕カム部９１２ｂとの当接を解除する。この状態では、後幕駆動レバー９０５に設定された後幕アマチャ９０８が電磁的に吸着保持されているため、後幕駆動レバー９０５を回転しないように保つことができる。
【００５７】
ステップ１１０では、撮影レンズ本体２０１のレンズ群２０４および絞り２０５を駆動する。ステップ１０９およびステップ１１０の後、ステップ１１１に進み、撮像素子１１６による露光動作を行う。システム制御部５３によって設定されたシャッタ秒時に対応する時間間隔で、撮像素子１１６の画素のリセット走査（以下、電子先幕走行と呼ぶ）と、後幕電磁石９１１への通電を終了することによる後幕羽根群９０３の走行が実施される。なお、後幕羽根群９０３の走行は、羽根駆動バネ９０６の付勢力による後幕駆動レバー９０５の回転に伴い実施される。
【００５８】
フォーカルプレンシャッタ９は図６ｄに示す状態となる。具体的には、先幕駆動レバー９０４の軸９０４ａに連結された先羽根群９０２は、シャッタ地板９０１の開口部９０１ａおよびカバー板９１５の開口９１５ａの下側に重畳された状態にある。また、後幕駆動レバー９０５の軸９０５ａに連結された後羽根群９０３は、シャッタ地板９０１の９０１ａおよびカバー板９１５の開口９１５ａを覆うように展開状態にある。
【００５９】
次にステップ１１２に進み、ステップ１１１にて実施された露光により撮像素子１１６で生成された画像データの読み出しを開始する。画像データは撮像用画素１１６ｃからの画像信号と焦点検出用画素１１６ａ、１１６ｂからの信号であり、画像データの読み出し完了まで順次焦点検出用画素１１６ａ、１１６ｂから位相差方式での焦点検出動作を実施する。なお、本実施例においては、画像データの読み出しが図３ａに示す画素の上から行毎に実施される。
【００６０】
次にステップ１１３に進み、フォーカルプレンシャッタ９を図６ａに示す状態に復帰させる。具体的には、モータ９２３を駆動してカムギア９１２を図６ｄにおいて反時計回り方向に回転させる。回転により、カムギア９１２の先幕カム部９１２ａと後幕カム部９１２ｂがそれぞれ先幕駆動レバー９０４の先幕コロ９１３と後幕駆動レバー９０５の後幕コロ９１４を押すことで、羽根駆動バネ９０６のチャージ動作を行いながら先幕駆動レバー９０４および後幕駆動レバー９０５を回転させ、フォーカルプレンシャッタ９が図６ａに示す状態となる。
【００６１】
次にステップ１１４に進み、レリーズボタン２の全押し操作（ＳＷ２）が継続されているか否かを判別する。レリーズボタン２の全押し操作（ＳＷ２）が継続されている場合には、ステップ１１５へと進み、連写撮影制御を実施する。レリーズボタン２の全押し操作（ＳＷ２）が継続されていない場合にはステップ１０３へと進んだ後、ステップ１０４、ステップ１０５へと進み、単写撮影制御を実施する。
【００６２】
ステップ１１５では、ステップ１１１にて実施された撮影条件から、第１もしくは第２の何れかの連写撮影モードを実施するかを決定する。詳細な動作は後述するが、第１の連写撮影モードは連写の各露光の合間に撮像素子１１６による焦点検出を行うモードであり、第２の連写撮影モードは各露光の合間に撮像素子１１６による焦点検出を行わず、直前の露光による撮像素子１１６からの焦点検出用画素１１６ａ、１１６ｂからの信号によって位相差方式の焦点検出を行うモードである。
【００６３】
上述の撮影条件は、撮影におけるレンズ本体２０１の絞り値や被写体輝度である。レンズ本体２０１の絞り値や被写体輝度によって、撮像素子１１６による位相差方式の焦点検出結果の信頼性が変化する（レンズ本体２０１の絞り値が大きい場合や被写体輝度が低い場合には、撮像素子１１６による位相差方式の焦点検出結果の信頼性が低くなる）ため、第１の連写撮影モードと第２の連写撮影モードを選択的に実施する。
【００６４】
撮影条件としてレンズ本体２０１の絞り値から決定する場合、撮影におけるレンズ本体２０１の絞り値と、カメラ本体１０１に予め設定された所定の値とを比較し、レンズの絞り値が所定の絞り値（例えばＦ５.６）よりも大きかった場合には、第１の連写撮影モードであるステップＳ１１６へと進み、所定の絞り値（例えばＦ５.６）よりも小さかった場合には、第２の連写撮影モードであるステップＳ１２３へと進む。
【００６５】
撮影条件として被写体輝度から決定する場合、撮影における被写体輝度と、カメラ本体１０１に予め設定された所定の値とを比較し、被写体輝度が所定の値（例えばＥＶ７（ＩＳＯ１００））よりも低かった場合には、ステップＳ１１６へと進み、所定の値（例えばＥＶ７（ＩＳＯ１００））よりも高かった場合には、ステップＳ１２３へと進む。
【００６６】
以下、ステップ１１６からステップ１２２で、第１の連写撮影モードの撮影動作について説明する。ステップ１１６では、ステップ１１２にて開始した画像データの読み出しを終了する。
【００６７】
次にステップ１１７に進み、先幕羽根群９０２を走行させて、シャッタ地板９０１の開口部９０１ａおよびカバー板９１５の開口部９１５ａを開状態にする動作を行う。このステップ１１７での動作は、前述したステップ１０３での動作と同様である。フォーカルプレンシャッタ９は図６ｂに示す状態となる。
【００６８】
次にステップ１１８に進み、撮像素子による焦点検出動作を行う。このステップ１１８での動作は、前述したステップ１０６での動作と同様であるが、レンズ本体２０１の絞り２０５を駆動して撮像素子１１６による位相差方式の焦点検出に適した絞り値にして焦点検出動作を実施しても良い。また、被写体輝度が低い場合には、コントラスト方式で焦点検出動作を実施しても良い。なお、このステップ１１７では得られた画像信号を画像表示部４に表示することができる。その場合、撮影者が次の撮影との間隔がより近い画像を確認できるようになる。
【００６９】
次にステップ１１９およびステップ１２１に進む。ステップ１１９では、後幕電磁石９１１への通電を開始し、後幕駆動レバー９０５に設定された後幕アマチャ９０８を電磁的に吸着保持する。このステップ１１９での動作は、前述したステップ１０８での動作と同様である。
【００７０】
次にステップ１２０に進み、後幕羽根群９０３の走行前準備動作を行う。このステップ１２０での動作は、前述したステップ１０９での動作と同様であり、フォーカルプレンシャッタ９を図６ｃに示す状態に遷移させる。ステップ１２１では、撮影レンズ本体２０１のレンズ群２０４および絞り２０５を駆動する。
【００７１】
ステップ１１９およびステップ１２１の後、ステップ１２２に進み、撮像素子１１６による露光動作を行う。このステップ１２２での動作は、前述したステップ１１１での動作と同様であり、撮像素子１１６による電子先幕走行と後幕羽根群９０３の走行を行う。フォーカルプレンシャッタ９は図６ｄに示す状態となる。
【００７２】
次にステップ１１２へと進んだ後、ステップ１１３、ステップ１１４へと進む連写撮影制御を実施する。
【００７３】
以下、ステップ１２３からステップ１３０で、第２の連写撮影モードの撮影動作について説明する。ステップ１２３では、先幕電磁石９１０への通電を開始し、先幕駆動レバー９０４に設定された先幕アマチャ９０７を電磁的に吸着保持する。
【００７４】
次にステップ１２４に進み、後幕電磁石９１１への通電を開始し、後幕駆動レバー９０５に設定された後幕アマチャ９０８を電磁的に吸着保持する。このステップ１２４での動作は、前述したステップ１０８、ステップ１１９での動作と同様である。次にステップ１２５に進み、先幕羽根群９０２および後幕羽根群９０３の走行前準備動作を行う。
【００７５】
フォーカルプレンシャッタ９を図６ｅに示す状態に遷移させる。具体的には、シャッタ制御部６１により、モータ９２３を駆動してカムギア９１２を図６ａにおいて反時計回り方向に回転させ、先幕駆動レバー９０４の先幕コロ９１３とカムギア９１２の先幕カム部９１２ａとの当接、および後幕駆動レバー９０５の後幕コロ９１４とカムギア９１２の後幕カム部９１２ｂとの当接を解除した状態にする。この状態では、先幕駆動レバー９０４に設定された先幕アマチャ９０７、および後幕駆動レバー９０５に設定された後幕アマチャ９０８が電磁的に吸着保持されているため、先幕駆動レバー９０４および後幕駆動レバー９０５を回転しないように保つことができる。
【００７６】
次にステップ１２６に進み、ステップ１１２にて開始した画像データの読み出しを終了する。次にステップ１２７およびステップ１２８に進む。ステップ１２７では、先幕電磁石９１０への通電のみを終了し、先幕羽根群９０２を走行させて、シャッタ地板９０１の開口部９０１ａおよびカバー板９１５の開口部９１５ａを開状態にする動作を行い、フォーカルプレンシャッタ９を図６ｃに示す状態に遷移させる。ステップ１２８では、ステップ１２６までに取得した焦点検出用画素１１６ａ、１１６ｂからの信号から焦点検出動作を行う。
【００７７】
次にステップ１２９に進み、撮影レンズ本体２０１のレンズ群２０４および絞り２０５を駆動する。ステップ１２７およびステップ１２９の後、ステップ１３０に進み、撮像素子１１６による露光動作を行う。このステップ１３０での動作は、前述したステップ１１１、１２２での動作と同様であり、撮像素子１１６による電子先幕走行と後幕羽根群９０３の走行を行う。フォーカルプレンシャッタ９は図６ｄに示す状態となる。
【００７８】
次にステップ１１２へと進んだ後、ステップ１１３、ステップ１１４へと進む連写撮影制御を実施する。
【００７９】
以上説明したように、撮像素子１１６を用いたライブビュー撮影での連写撮影において、連写撮影動作の開始時に、直前の撮影におけるレンズ本体２０１の絞り値や被写体輝度によって連写撮影モードを切り替えることで、焦点検出精度を維持しながら所望の画像を得ることが可能となっている。
【００８０】
また、ステップ１１５で第１の連写撮影モードを実施すると決定した場合には、ステップ１１８で撮像素子による焦点検出動作が終了するまでフォーカルプレンシャッタ９の後幕電磁石９１１への通電を行わないため、消費電力を押さえることができる。ステップ１１５で第２の連写撮影モードを実施すると決定した場合には、第２の連写撮影モードに移行した直後にステップ１２４でフォーカルプレンシャッタ９の後幕電磁石９１１への通電を行い、ステップ１２５で走行前準備動作をするため、第１の連写撮影モードに比べて連写撮影速度を落とすことなく撮影可能である。
【００８１】
［第２の実施の形態］
次に、本発明の第２の実施の形態について説明する。本実施の形態におけるカメラ本体２０１の構成は、第１の実施の形態と同じであり、共通する構成要素については第１の実施の形態と同符号を付して説明に代える。本実施の形態においては、ライブビュー撮影モードでの連写撮影の制御に特徴を有するものである。第１の実施の形態である図１ｂに代わる図７は連写撮影のフローチャートである。
【００８２】
図１ａのカメラの動作が開始されるステップ１００から、撮像素子１１６による露光動作を行うステップ１１１までは第１の実施の形態と同様であるため説明は省略する。
【００８３】
次にステップ２１２に進み、ステップ１１１にて実施された露光により撮像素子１１６で生成された画像データの読み出しを開始する。画像データは撮像用画素１１６ｃからの画像信号と焦点検出用画素１１６ａ、１１６ｂからの信号であり、画像データの読み出し完了まで順次焦点検出用画素１１６ａ、１１６ｂから位相差方式での焦点検出動作を実施する。このステップ２１２での動作は、前述したステップ１１２での動作と同様である。
【００８４】
次にステップ２１３に進み、フォーカルプレンシャッタ９を図６ａに示す状態に復帰させる。このステップ２１３での動作は、前述したステップ１１３での動作と同様である。
【００８５】
次にステップ２１４に進み、レリーズボタン２の全押し操作（ＳＷ２＿ＯＮ）が継続されているか否かを判別する。レリーズボタン２の全押し操作（ＳＷ２＿ＯＮ）が継続されている場合には、ステップ２１５へと進み、連写撮影制御を実施する。レリーズボタン２の全押し操作（ＳＷ２＿ＯＮ）が継続されていない場合には図１ａのステップ１０３へと進んだ後、ステップ１０４、ステップ１０５へと進み、単写撮影制御を実施する。
【００８６】
ステップ２１５では、ステップ２１２から順次実施している位相差方式の焦点検出動作の結果から、第１もしくは第２の何れかの連写撮影モードを実施するかを決定する。ただし、このステップ２１５においては、全ての焦点検出用画素１１６ａ、１１６ｂからの信号の読み出しは完了していない。詳細な動作は後述するが、第１の連写撮影モードは連写の各露光の合間に撮像素子１１６による焦点検出を行うモードであり、第２の連写撮影モードは直前の露光による撮像素子１１６の焦点検出用画素１１６ａ、１１６ｂからの信号によって位相差方式の焦点検出を行うか、各露光の合間に撮像素子１１６による位相差方式もしくはコントラスト方式の焦点検出を行うか、を焦点検出用画素１１６ａ、１１６ｂからの信号が全て生成された後に再判定するモードである。
【００８７】
ステップ２１５までに生成された信号に焦点検出を実施する信号が含まれる場合、且つ、焦点検出結果の信頼性が低いことが判明した場合には、ステップＳ２１６へと進み、信号に焦点検出を実施する信号が含まれない場合、もしくは、検出結果の信頼性が低いことが判明しない場合には、ステップＳ２２３へと進む。
【００８８】
なお、焦点検出を実施する信号とは被写体を測距するために使用すべき焦点検出用画素１１６ａ、１１６ｂからの信号であり、直前の露光の焦点検出時に測距した位置に対応する焦点検出用画素１１６ａ、１１６ｂからの信号や、被写体の動態予測によって測距すべき焦点検出用画素１１６ａ、１１６ｂからの信号である。また、焦点検出結果の信頼性は、焦点検出用画素１１６ａ、１１６ｂから得られた信号の一致度が低い場合や、信号波形のピークが明確でない場合には低くなる。
【００８９】
以下、ステップ２１６からステップ２２２で、第１の連写撮影モードの撮影動作について説明する。ステップ２１６からステップ２２２で実施する其々の動作は、前述した第１の実施の形態における図１ａのステップ１１６からステップ１２２での其々の動作と同様である。次にステップ２１２へと進んだ後、ステップ２１３、ステップ２１４へと進む連写撮影制御を実施する。
【００９０】
以下、ステップ２２３からステップ２３１で、第２の連写撮影モードの撮影動作について説明する。ステップ２２３からステップ２２６で実施する其々の動作は、前述した第１の実施の形態における図１ａのステップ１２３からステップ１２６での其々の動作と同様である。次にステップ２２７およびステップ２２８に進む。ステップ２２７では、先幕電磁石９１０への通電のみを終了し、先幕羽根群９０２を走行させて、シャッタ地板９０１の開口部９０１ａおよびカバー板９１５の開口部９１５ａを開状態にする動作を行い、フォーカルプレンシャッタ９を図６ｃに示す状態に遷移させる。
【００９１】
ステップ２２８では、ステップ２２６までに取得した焦点検出用画素１１６ａ、１１６ｂからの信号から焦点検出動作を行う。このステップ２２７、２２８での動作は、前述したステップ１２７、１２８での動作と同様である。
【００９２】
ステップ２２７およびステップ２２８の後、ステップ２２９に進み、ステップ２１２から順次実施している位相差方式の焦点検出動作の結果から焦点検出を実施するか、撮像素子１１６による位相差方式もしくはコントラスト方式の焦点検出を再度実施するかを決定する。焦点検出結果の信頼性が低いことが判明した場合にはステップ２３０へと進み、焦点検出結果の信頼性が高いことが判明した場合にはステップ２３１へと進む。
【００９３】
ステップ２３０では、撮像素子による焦点検出動作を行う。このステップ２３０での動作は、前述したステップ１１８、２１８での動作と同様である。
ステップ２２９もしくはステップ２３０の後、ステップ２３１に進み、撮影レンズ本体２０１のレンズ群２０４および絞り２０５を駆動する。
【００９４】
次にステップ２３２に進み、撮像素子１１６による露光動作を行う。このステップ２３２での動作は、前述したステップ１１１、１２２、１３０、２２２での動作と同様であり、撮像素子１１６による電子先幕走行と後幕羽根群９０３の走行を行う。フォーカルプレンシャッタ９は図６ｄに示す状態となる。次にステップ２１２へと進んだ後、ステップ２１３、ステップ２１４へと進む連写撮影制御を実施する。
【００９５】
以上説明したように、撮像素子１１６を用いたライブビュー撮影での連写撮影において、連写撮影動作の開始時に、その時点までに実施された位相差方式の焦点検出動作の結果から連写撮影モードを切り替え、また、第２の連写撮影モードにおいては焦点検出用画素１１６ａ、１１６ｂからの信号が全て生成された後に再度焦点検出方法を決定することで、焦点検出精度を維持しながら所望の画像を得ることが可能となっている。
【００９６】
また、ステップ２１５で第１の連写撮影モードを実施すると決定した場合には、ステップ２１８で撮像素子による焦点検出動作が終了するまでフォーカルプレンシャッタ９の後幕電磁石９１１への通電を行わないため、消費電力を押さえることができる。ステップ２１５で第２の連写撮影モードを実施すると決定した場合には、第２の連写撮影モードに移行した直後にステップ２２４でフォーカルプレンシャッタ９の後幕電磁石９１１への通電を行い、ステップ２２５で走行前準備動作をするため、第１の連写撮影モードに比べて連写撮影速度を落とすことなく撮影可能である。
【００９７】
以上、本発明の好ましい実施形態について説明したが、本発明はこれらの実施形態に限定されず、その要旨の範囲内で種々の変形および変更が可能である。
【符号の説明】
【００９８】
１０１    カメラ本体
２        レリーズボタン
４        画像表示部
８        ミラーユニット
９        フォーカルプレンシャッタ
６１      シャッタ制御部
６３      絞り制御部
１１６    撮像素子
１１６ａ  焦点検出用画素
１１６ｂ  焦点検出用画素
１１６ｃ  撮像用画素
２０１    撮影レンズ本体
２０４    レンズ群
２０５    絞り
９０１    シャッタ地板
９０２    先羽根群
９０３    後羽根群
９０４    先幕駆動レバー
９０５    後幕駆動レバー
９０６    羽根駆動バネ
９１０    先幕電磁石
９１１    後幕電磁石
９１２    カムギア
９１２ａ  先幕カム面
９１２ｂ  後幕カム面
９１３    先幕コロ
９１４    後幕コロ
９１５    カバー板
【図１（ａ）】
2019113646.tif 000003
【図１（ｂ）】
2019113646.tif 000004
【図２（ａ）】
2019113646.tif 000005
【図２（ｂ）】
2019113646.tif 000006
【図２（ｃ）】
2019113646.tif 000007
【図３（ａ）】
2019113646.tif 000008
【図３（ｂ）】
2019113646.tif 000009
【図３（ｃ）】
2019113646.tif 000010
【図４】
2019113646.tif 000011
【図５】
2019113646.tif 000012
【図６（ａ）】
2019113646.tif 000013
【図６（ｂ）】
2019113646.tif 000014
【図６（ｃ）】
2019113646.tif 000015
【図６（ｄ）】
2019113646.tif 000016
【図６（ｅ）】
2019113646.tif 000017
【図７】
2019113646.tif 000018